(57)【特許請求の範囲】
【請求項１】
ベッドフレーム側の棒状部材の長手方向に取付品支持部材を着脱可能に支持する構成とし、前記取付品支持部材には前記棒状部材を係合可能な溝形部材を突設し、棒状部材と溝形部材には、前記溝形部材を前記棒状部材に係合させる動作において係合状態となる係合手段を構成する突起と係合部を設けると共に、前記係合手段が係合状態において螺合可能状態となる螺合手段を構成する雌ねじ部と取付ボルトを貫通させる取付孔を設け、係合手段と螺合手段は、係合と螺合の位置を、棒状部材の長さ方向に複数構成したことを特徴とするベッドにおける取付品支持位置可変機構。
【請求項２】
係合手段は、溝形部材側に設けた突起と、棒状部材側の長さ方向に複数設けた係合部とから構成されることを特徴とする請求項１に記載のベッドにおける取付品支持位置可変機構。
【請求項３】
溝形部材に支持片を突設し、支持片の先端側に突起を設けたことを特徴とする請求項２に記載のベッドにおける取付品支持位置可変機構。
【請求項４】
支持片には、補強用リブを形成したことを特徴とする請求項３に記載のベッドにおける取付品支持位置可変機構。
【請求項５】
係合手段は、棒状部材側に設けた突起と、溝形部材側の長さ方向に複数設けた係合部とから構成されることを特徴とする請求項１に記載のベッドにおける取付品支持位置可変機構。
【請求項６】
螺合手段は、棒状部材側に設けた雌ねじ部と、溝形部材側の長さ方向に複数設けた取付孔とから構成されることを特徴とする請求項１に記載のベッドにおける取付品支持位置可変機構。
【請求項７】
取付品支持部材に取り付ける取付品はベッドの長手方向端部側に取り付けるボードであり、棒状部材はベッドフレームの長手方向部材であることを特徴とする請求項１〜６に記載のベッドにおける取付品支持位置可変機構。
【請求項８】
取付品支持部材に取り付ける取付品はベッドの側部に取り付ける付属品であり、棒状部材は、ベッドフレームの棒状部材から横方向に突設した部材であることを特徴とする請求項１〜６に記載のベッドにおける取付品支持位置可変機構。
【発明の詳細な説明】
【技術分野】
【０００１】
本発明は、ベッドにおける取付品、例えばベッドの長手方向端部側に取り付けるボード（ヘッドボード、フットボード）や、ベッドの幅方向端部側に取り付けるサイドレールやＩＶポール等の付属品を支持する位置を変更可能とすることにより、ベッドの床長または床幅の変更に適用できるようにしたベッドにおける取付品支持位置可変機構に関するものである。
【背景技術】
【０００２】
例えば、病院や在宅において老人や病人等が使用するベッドの床長は、短いと使い勝手が悪く、また必要以上に長いと所要スペースが大きくなってしまう。そこで製造者側では、標準的な床長のベッドに加えて、それよりも短いベッドや長いベッドを提供可能としている。
【０００３】
床長の異なったベッドを構成するための従来の方法としては、床長毎に異なるベッドフレームを設ける方法、ベッドの頭側又は足側に延長フレームを後付けして床長を延長する方法や、ベッドの足側のフレームをスライド式に延長可能とする方法等が行われている。
【０００４】
その他、特許文献１では、ベッドのボトムを支持する支持台を、ヘッド支持台、フット支持台及び中間支持台とから構成し、それらの間の間隔を調整可能に構成することにより、床長を調節可能に構成している。
【０００５】
また特許文献２では、ベッドフレームを、ベッドフレームとフットフレームと、それらの間の伸縮自在のサイドフレームと、ヘッド側サイドフレームと連結されたインナー及びアウタージョイントとから構成し、これらのインナー及びアウタージョイントに対してフット側サイドフレームを進退させて固定することにより、床長を調節可能に構成している。
【０００６】
そして、以上のようなベッドにおいては、その側部にサイドレールやＩＶポール等の付属品を取り付けて支持するための支持機構を設けている。この支持機構としては、例えば特許文献３に示すように、ボトムを支持するベッドフレームの長手方向部材に取付孔を設けて付属品支持部材を取り付ける機構が多く用いられている。
【０００７】
一方、ベッドにおいて、床幅、即ち、ボトムの幅は、例えば830mmのものと910mmのものの２種類が多く用いられている。
【０００８】
このような床幅の異なるボトムを用いる場合においても、サイドレール等の付属品をベッドフレームの所定位置に取り付けられようにするために、従来は、幅の異なるボトム毎に、異なる幅のベッドフレームを構成している。
【０００９】
その他、特許文献４では、中枠を交換せずに頭枠と足枠を変更するだけでベッドフレームの幅をボトムの床幅に対応させるようにしている。
【特許文献１】特開２００４−２９８５３０号公報
【特許文献２】特開２００５−２０４９９２号公報
【特許文献３】特開２０００−１６６７０３号公報
【特許文献４】特開平１０−８５０８１号公報
【発明の開示】
【発明が解決しようとする課題】
【００１０】
以上の従来の技術においては、まず床長に関して次のような課題がある。
１．床長毎に異なるベッドフレームを設ける方法では、床長の種類分のベッドフレームが必要となり、製造コストや管理コストが増大する。
２．延長フレームを後付けする方法では、それ自体が比較的大きくなってしまうので、保管や移動性が悪い。
３．フレームをスライド式に延長可能とする方法では、機構部品が大掛かりとなり、部品点数の増加や製造コストの増大につながる。
４．特許文献１に示されるような方法では、ベッドの構成に制約があり、また特許文献２に示されるような方法では、床長の変更に際してはベッドフレームを分解しなければならず、面倒である。
【００１１】
また、以上の従来の技術において、床幅に関しては次のような課題がある。
１．付属品をベッドフレームの所定位置に取り付けられようにするために、幅の異なるボトム毎に異なったベッドフレームを構成するのでは、コスト高となってしまう。
２．特許文献２のように、異なったボトムの幅に対して、ベッドフレームの一部、即ち中枠を共通化しているが、一部の共通化であるのでコストの低減効果は比較的小さく、組立も面倒である。
本発明は、以上のような課題を解決することを目的とするものである。
【課題を解決するための手段】
【００１２】
上述した課題を解決するために、本発明では、ベッドフレーム側の棒状部材の長手方向に取付品支持部材を着脱可能に支持する構成とし、前記取付品支持部材には前記棒状部材を係合可能な溝形部材を突設し、棒状部材と溝形部材には、前記溝形部材を前記棒状部材に係合させる動作において係合状態となる係合手段を構成する突起と係合部を設けると共に、前記係合手段が係合状態において螺合可能状態となる螺合手段を構成する雌ねじ部と取付ボルトを貫通させる取付孔を設け、係合手段と螺合手段は、係合と螺合の位置を、棒状部材の長さ方向に複数構成したベッドにおける取付品支持位置可変機構を提案する。
【００１３】
また本発明では上記の構成において、係合手段は、溝形部材側に設けた突起と、棒状部材側の長さ方向に複数設けた係合部とから構成することを提案する。また本発明では、この構成において、溝形部材に支持片を突設し、支持片の先端側に突起を設けることを提案する。またこの構成において、支持片に補強用リブを形成することを提案する。
【００１４】
また本発明では上記の構成において、係合手段は、棒状部材側に設けた突起と、溝形部材側の長さ方向に複数設けた係合部とから構成することを提案する。
【００１５】
更に本発明では、以上の構成において、取付品支持部材に取り付ける取付品は、ベッドの長手方向端部側に取り付けるボードであり、棒状部材はベッドフレームの長手方向部材であるベッドにおける取付品支持位置可変機構を提案する。
【００１６】
更に本発明では、以上の構成において、取付品支持部材に取り付ける取付品は、ベッドの側部に取り付ける付属品であり、棒状部材は、ベッドフレームの長手方向部材から横方向に突設した部材であるベッドにおける取付品支持位置可変機構を提案する。
【発明の効果】
【００１７】
本発明では、取付品支持部材に突設した溝形部材の開口側をベッドフレーム側の棒状部材に向け、係合手段を構成する突起といずれかの係合部を位置合わせした状態で、溝形部材を横方向から棒状部材に係合する。棒状部材は上下辺と一方の側辺が溝形部材で覆われ、この状態においては、螺合手段を構成する雌ねじ部といずれかの取付孔が対応しており、こうして取付孔から取付ボルトを貫通させて、雌ねじ部に螺合することにより、溝形部材を棒状部材に固定することができ、従って取付品支持部材をベッドフレームに対して固定することができる。
【００１８】
この際、溝形部材は上述したとおり棒状部材の上下辺と一方の側辺を覆うと共に、溝形部材と棒状部材が取付ボルトで螺合により結合され、更に突起と棒状部材に設けた係合部が係合するので、溝形部材、そして取付品支持部材は、棒状部材に対して遊び無く強固に取り付けることができる。
【００１９】
このような取付状態において、取付ボルトを外して溝形部材の螺合を解除し、この状態で、突起を、他の所望の係合部に位置合わせして係合すると、雌ねじ部と他の取付孔が対応するので、この状態において、取付孔から取付ボルトを貫通させて、雌ねじ部に螺合することにより、溝形部材を、棒状部材の長手方向に移動した位置で固定することができる。
【００２０】
こうして取付品支持部材は、棒状部材との長手方向の位置関係を変更して遊び無く強固に取り付けることができる。
【００２１】
取付品支持部材に取り付ける取付品を、ベッドの長手方向端部側に取り付けるボードとした場合には、このボード、即ちヘッドボード又はフットボードの支持位置を変更することにより、ベッドフレームの床長の変更に対応させることができる。
【００２２】
また取付品支持部材に取り付ける取付品を、サイドレールやＩＶポール等の、ベッドの側部に取り付ける付属品とした場合には、共通のベッドフレームに対して、支持するボトムの幅を変更した場合にも、取付品支持部材を適切な位置に支持することができる。
【発明を実施するための最良の形態】
【００２３】
次に本発明のベッドにおける取付品支持位置可変機構の実施の形態を添付図面を参照して説明する。
図１〜図７は本発明のベッドにおける取付品支持位置可変機構の第１の実施の形態を示すもので、この実施の形態において、取付品支持部材に取り付ける取付品は、ベッドの長手方向端部側に取り付けるボード、即ち、ヘッドボードやフットボードである。
まず図１は本発明を適用したベッドを、ボトムを省略して示す斜視図であり、本発明における支持位置可変機構は、ベッドの頭側及び足側の両側の個所、即ち、４個所に適用するものである。図２、図３は、本発明機構を構成する要素を拡散図で示したもので、また図４、図５は取り付けた状態、図６、図７は取り付けた状態を、図４、図５とは反対側から見た状態を夫々示す斜視図である。尚、この実施の形態では、ベッドの床長は、標準的な床長と、それよりも短い床長に変更可能な構成を示しており、夫々図２、図４及び図６が標準状態、図３、図５及び図７が短い状態に対応するものである。
【００２４】
これらの図において、符号１はベッドフレームで、２はその長手方向部材であり、この長手方向部材２が棒状部材に相当する。Ｂはボード、即ち、ヘッドボードやフットボードであり、符号３がボードＢを取り付けるボード受けを示すもので、このボード受け３が取付品支持部材に相当する。ボード受け３は、ボードＢに設けた取付金具等の取付手段（図示省略）を装着してボードＢを支持するもので、取付手段等に応じて適宜の構成を採ることができる。
【００２５】
ボード受け３には、開口側４を横方向に向けて溝形部材５を突設しており、この溝形部材５には支持片６を延長させている。そして支持片６の先端に、溝形部材５の開口側４方向に向けて鉤状部７を形成している。一方、長手方向部材２には、鉤状部７を係合する係合部８ａ，８ｂ、この場合、スリット形状の係合部を、長手方向部材２の長手方向に複数形成している。更に長手方向部材２の先端側には雌ねじ部９を形成すると共に、溝形部材５には、雌ねじ部９に螺合する取付ボルト１０を貫通可能な取付孔１１ａ，１１ｂを、上記係合部８ａ，８ｂに対応して複数形成している。符号１２は取付ボルト１０に設けて回転操作するノブであり、１３は支持片６に設けた補強リブである。
【００２６】
以上の構成において、例えば図２に示すように、溝形部材５の開口側４をベッドフレーム１の長手方向部材２に向け、支持片６の突起７、この場合、鉤状部を、長手方向部材２の係合部８ｂに位置合わせした状態で、溝形部材５を横方向から長手方向部材２に係合する。これにより、長手方向部材２は図４及び図６に示すように、上下辺と一方の側辺が溝形部材５で覆われ、この状態においては、溝形部材５に形成した取付孔１１ｂが長手方向部材２の雌ねじ部９に対応しているので、図２に示すように取付孔１１ｂから取付ボルト１０を貫通させて、雌ねじ部９に螺合することにより、溝形部材５を長手方向部材２に固定することができる。
【００２７】
この状態において図１に示すように左右一対のボード受け３によりボードＢを取り付けて、所定の床長、この場合、標準的な床長のベッドを構成することができる。
【００２８】
ここで、床長を変更する場合には、ボード受け３からボードＢを外した後、取付ボルト１０を外して溝形部材５を移動可能とし、この状態で図３に示すように、支持片６の突起７を、今度は、他の係合部８ａに位置合わせた状態で、溝形部材５を横方向から長手方向部材２に係合する。これにより長手方向部材２は図５及び図７に示すように、上下辺と一方の側辺が溝形部材５で覆われ、この状態においては、溝形部材５に形成した取付孔１１ａが長手方向部材２の雌ねじ部９に対応しているので、図３に示すように取付孔１１ａから取付ボルト１０を貫通させて、雌ねじ部９に螺合することにより、溝形部材５を長手方向部材２に固定することができる。
【００２９】
そして、この状態において左右一対のボード受け３によりボードＢを取り付けて、所定の床長、この場合には、短い床長のベッドフレームを構成することができる。
【００３０】
次に図８〜図１０は本発明のベッドにおける取付品支持位置可変機構の第２の実施の形態を示すもので、図８は構成要素を示す拡散図、図９、図１０は取り付けた状態を示す斜視図である。この実施の形態において、取付品支持部材に取り付ける取付品は、第１の実施の形態と同様にベッドの長手方向端部側に取り付けるボード、即ち、ヘッドボードやフットボードであり、この第２の実施の形態は、第１の実施の形態における溝形部材５の開口側が向いた方向を異ならせたもので、図において対応する構成要素には同一の符号を付している。
【００３１】
即ち、第２の実施の形態において、ボード受け３には、開口側４を下方向に向けて溝形部材５を突設しており、この溝形部材５には支持片６を延長させている。そして支持片６の先端に、溝形部材５の開口側４方向に向けて鉤状部７を形成している。一方、長手方向部材２の上面側には、鉤状部７を係合する係合部８ａ，８ｂ、この場合、スリット形状の係合部を、長手方向部材２の長手方向に複数形成している。更に長手方向部材２の先端上面側には雌ねじ部９を形成すると共に、溝形部材５には、雌ねじ部９に螺合する取付ボルト１０を貫通可能な取付孔１１ａ，１１ｂを、上記係合部８ａ，８ｂに対応して複数形成している。符号１２は第１の実施の形態と同様に、取付ボルト１０に設けて回転操作するノブである。
【００３２】
以上の構成においては、第１の実施の形態と同様に、溝形部材５の開口側４をベッドフレーム１の長手方向部材２に向け、支持片６の鉤状部７を、長手方向部材２の係合部８ａ又は８ｂに位置合わせした状態で、溝形部材５を上方から長手方向部材２に係合する。これにより、長手方向部材２は図９又は図１０に示すように、上辺と両側の側辺が溝形部材５で覆われると共に、取付孔１１ａ又は１１ｂから取付ボルト１０を貫通させて、雌ねじ部９に螺合し、ノブ１２により締め付けることにより、溝形部材５を長手方向部材２に強固に固定することができる。
【００３３】
このようにして図９の場合には、図４と同様に標準的な床長のベッドフレームを構成して対応する位置にボードを取り付けることができ、また図１０の場合には、図５と同様に短い床長のベッドフレームを構成することができる。尚、図１０の場合が標準的な床長、図９の場合が長い床長に対応させることもできることは勿論である。
【００３４】
次に図１１、図１２は本発明のベッドにおける取付品支持位置可変機構の第３の実施の形態を示すもので、この実施の形態において、取付品支持部材に取り付ける取付品は、ベッドの側部に取り付ける付属品、例えばサイドレールやＩＶポール等（図示省略）である。この第３の実施の形態において、第１の実施の形態と同様な構成要素には、図中に同一の符号を付して重複する説明は省略する。
【００３５】
符号１４は上記取付品支持部材に相当する付属品受けであり、その上側には、サイドレールやＩＶポール等（図示省略）の支柱部を嵌合して支持する取付孔１５を設けている。そしてこの実施の形態では、上記溝形部材５は、付属品受け１４の両端部に一対突設している。一方、ベッドフレーム１の長手方向部材２から横方向に、一対の幅方向部材１６を突設しており、この幅方向部材１６が棒状部材に相当する。この実施の形態では、取付孔１１ａ，１１ｂ，１１ｃは３個所に設けており、これに対応して係合部８も３個所に設けられている。
【００３６】
以上の構成においては、付属品受け１４は、両端側に突設した一対の溝形部材５を、上述した第１の実施の形態と同様な動作により、幅方向部材１６に強固に固定することができ、この際、突起７に係合する係合部（８ｂ以外は図示を省略している。）、そして雌ねじ部９に対応する取付孔１１ａ，１１ｂ，１１ｃを選択して、突起７を係合部に係合すると共に、対応した取付孔から取付ボルト１０を貫通させて、雌ねじ部９に螺合することにより、ベッドフレーム１の長手方向部材２から付属品受け１４までの距離を変更して支持することができる。
【００３７】
このため、共通のベッドフレーム１に対して、支持するボトムの幅を変更した場合にも、付属品取付用部材を適切な位置に支持することができる。例えば、ボトムの床幅として、830mm幅のボトムを用いる際には、付属品受け１４を、ベッドフレーム１の長手方向部材２からの距離が最も近い位置に支持している場合に格納状態、次の位置に支持している場合に使用状態とすることができ、また910mm幅のボトムを用いる際には、付属品受け１４を、ベッドフレーム１の長手方向部材２からの距離が最も遠い位置に支持している場合に使用状態とすることができる。
【００３８】
以上に説明した実施の形態では、溝形部材５側に設けた突起７と、棒状部材（２、１６）側の長さ方向に複数設けた係合部８ａ，８ｂとから係合手段を構成しているが、これとは逆に棒状部材（２、１６）側に設けた突起と、溝形部材５側の長さ方向に複数設けた係合部とから係合手段を構成することもできる。
【００３９】
更に以上に説明した実施の形態では、溝形部材５に支持片６を延長して、この支持片６の先端側に突起７を設けているが、支持片６を設けずに、溝形部材５に突起、又は係合部を設けることもできる。
【産業上の利用可能性】
【００４０】
以上のとおりであるので、本発明では、以下に示すような利点があり、病院や在宅において使用されるベッドに適用して産業上の利用可能性が大である。
【００４１】
本発明では、ベッドの床長に関して次の利点がある。
１．ボトムを外したり、ボードを外すという作業の他は、ベッドフレームを分解せずに、その長さを変更することができ、非常に作業性が良い。
２．異なった床長のベッドフレームを共通化することができるので、製造性が良く、製造コスト、管理コスト、購入コストの低減を図ることができる。
３．棒状部材に対して独立して構成したボード受けを、溝形部材により遊び無く強固に棒状部材に取り付けることができ、ベッドとしての使用性を悪化させない。
【００４２】
本発明では、ベッドの床幅に関して次の利点がある。
１．共通のベッドフレームに対して、支持するボトムの床幅を変更した場合にも、付属品取付用部材を適切な位置に支持することができる。
２．従ってベッドフレームを共通化することができるので、コストの低減を図ることができる。
３．付属品取付用部材の位置の変更は、特別な工具を必要とせずに行うことができ、また非常に強固にガタ無く支持することができる。
【図面の簡単な説明】
【００４３】
【図１】本発明を適用したベッドの一例をボトムを除いて示す斜視図である。
【図２】本発明の第１の実施の形態の要素を示す拡散斜視図である。
【図３】本発明の第１の実施の形態の要素を他の局面で示した拡散斜視図である。
【図４】本発明の第１の実施の形態による取付状態を示す斜視図である。
【図５】本発明の第１の実施の形態による取付状態を他の局面で示す斜視図である。
【図６】図４の状態を他面から見た斜視図である。
【図７】図５の状態を他面から見た斜視図である。
【図８】本発明の第２の実施の形態の要素を示す拡散斜視図である。
【図９】本発明の第２の実施の形態による取付状態を示す斜視図である。
【図１０】本発明の第２の実施の形態による取付状態を他の局面で示す斜視図である。
【図１１】本発明の第３の実施の形態による取付状態を示す斜視図である。
【図１２】本発明の第３の実施の形態による取付状態を他の局面で示す斜視図である。
【符号の説明】
【００４４】
１                    ベッドフレーム
２                    長手方向部材（棒状部材）
３                    ボード受け（取付品支持部材）
４                    開口側
５                    溝形部材
６                    支持片
７                    突起（鉤状部）
８ａ，８ｂ            係合部（スリット）
９                    雌ねじ部
１０                  取付ボルト
１１ａ，１１ｂ        取付孔
１２                  ノブ
１３                  補強リブ
１４                  付属品受け（取付品支持部材）
１５                  付属品取付孔
１６                  幅方向部材（棒状部材）
【図１】
0005252542.tif 000002
【図２】
0005252542.tif 000003
【図３】
0005252542.tif 000004
【図４】
0005252542.tif 000005
【図５】
0005252542.tif 000006
【図６】
0005252542.tif 000007
【図７】
0005252542.tif 000008
【図８】
0005252542.tif 000009
【図９】
0005252542.tif 000010
【図１０】
0005252542.tif 000011
【図１１】
0005252542.tif 000012
【図１２】
0005252542.tif 000013